(57)【要約】【課題】  複写機等において大量のコピー処理を実行させた場合に生ずる待ち時間を、ユーザが有効活用できるようにする。【解決手段】  複写機１は、画像形成動作を行う装置本体部１００と、装置本体部１００を嵩上げ支持する嵩上げ部材としてのキャスター台３００と、嵩上げ支持された装置本体部１００の下側面Ｂと当該複写機１の据え付け面Ｓとの空間Ｈに突設された、機能ロールとしての靴磨き用ロールブラシ４０を具備するロール機構部４００とを備えている。前記ロールブラシ４０は、装置本体部１００に備えられている駆動モータ４６により回転駆動され、ユーザはコピー処理時の待ち時間に、自身の靴Ｚをロールブラシ４０に当接させることで靴磨き機能を享受することができる。【選択図】      図３
2006030875.tif 000002
【特許請求の範囲】
【請求項１】
嵩上げ部材で嵩上げ支持された装置本体部を備える画像形成装置において、
前記嵩上げされた装置本体部の下側面と当該画像形成装置の据え付け面との空間に突設され、該装置本体部が具備する駆動機構により回転駆動される機能ロールを設けたことを特徴とする画像形成装置。
【請求項２】
機能ロールが、靴磨き用のロールブラシであることを特徴とする請求項１記載の画像形成装置。
【請求項３】
ロールブラシが、画像形成装置のフロントパネル側に配置されていることを特徴とする請求項２記載の画像形成装置。
【請求項４】
ロールブラシには姿勢変更手段が付設されており、
前記姿勢変更手段は、ロールブラシを、少なくとも画像形成装置の据え付け面に近接した第１の姿勢と、前記据え付け面から所定距離だけ離間させて退避状態とする第２の姿勢とに姿勢制御することを特徴とする請求項２又は３記載の画像形成装置。
【請求項５】
機能ロールを回転駆動させる駆動機構が、装置本体部における画像形成動作の際に駆動される駆動機構により動作可能とされていることを特徴とする請求項１〜４のいずれかに記載の画像形成装置。
【発明の詳細な説明】
【技術分野】
【０００１】
本発明は、複写機やデジタル複合機等の画像形成装置において、靴磨き動作等を実行可能な機能ロールを付加した画像形成装置に関するものである。
【背景技術】
【０００２】
昨今の複写機等は大容量化、高機能化が進行し、大量のコピー処理が一度に実行可能であると共に、コピー済み用紙に対するパンチ処理、ステイプル処理、中折り処理などの機能処理も実行可能となっている。ところで、大量のコピー処理を実行した場合には、どのような高速処理機であっても相応の待ち時間が発生することになる。また、前述の機能処理を実行させた場合、その処理の実行には一般的に通常のコピー処理よりも時間を要することから、やはり相応の待ち時間が発生することとなる。多くの場合、当該複写機のユーザは前記待ち時間の間、いたずらに複写機のコピー処理動作を傍観するほかなく、いわば「退屈な時間」を過ごしているのが実情である。
【０００３】
ところで、複写機等の画像形成装置においては、通常運搬作業やスライド移動を容易とするために装置本体部がキャスター台等や、床面へ装置を固定するためにレベルボルト等で嵩上げ支持されている。このため、装置本体部の下側面（底面）と据え付け面との間には一定の間隙が存在している。この間隙は、一般に足先（靴先）が入り込む程度の間隙である。従来、このような装置本体部の下側面に作出されているスペースは特段活用されておらず、塵埃が溜まるだけのデッドスペースとされている。
【０００４】
一方、自動靴磨き機としては、例えば特許文献１に開示されているように、本体ケース内に複数のロールブラシと、これらロールブラシを駆動するための駆動機構とが備えられた自動靴磨き機が知られている。
【特許文献１】特開平６−１０５７９２３号公報
【発明の開示】
【発明が解決しようとする課題】
【０００５】
本発明は、複写機等において大量のコピー処理（画像形成処理）等を実行させた場合に生ずる待ち時間を、ユーザが有効活用できるような何らかの機能を提供すること、並びに、現状では特段活用されていない装置本体部の下側面スペースを有効活用することに鑑みてなされた発明である。
【課題を解決するための手段】
【０００６】
本発明の請求項１にかかる画像形成装置は、嵩上げ部材で嵩上げ支持された装置本体部を備える画像形成装置において、前記嵩上げされた装置本体部の下側面と当該画像形成装置の据え付け面との空間に突設され、該装置本体部が具備する駆動機構により回転駆動される機能ロールを設けたことを特徴とする。この構成によれば、機能ロールの回転動作により、例えば装置本体部の下側面と当該画像形成装置の据え付け面との空間に滞留する塵埃の掃除機能、前記空間に入り込んでしまった小物品（コイン等）の有無確認（あるいは小物品の取り出し）などの装置本体部下側空間に対する掃き出し機能、或いはユーザの所持品等に対する磨き機能を担保することができる。
【０００７】
請求項２にかかる画像形成装置は、請求項１において、機能ロールが、靴磨き用のロールブラシであることを特徴とする。この構成によれば、ユーザは、装置本体部の下側面と当該画像形成装置の据え付け面との空間に突設されたロールブラシ（機能ロール）に自身の靴のつま先等を当接させることで靴を磨き、靴の清浄化を図ることができる。
【０００８】
請求項３にかかる画像形成装置は、請求項２において、ロールブラシが、画像形成装置のフロントパネル側に配置されていることを特徴とする。この構成によれば、例えばユーザは、複写機等においてフロントパネルでコピー枚数や機能処理の設定を行い、該複写機がコピー処理を実行している間につま先を複写機の下側面空間に差し入れるだけで、靴磨き機能を享受できるようになる。
【０００９】
請求項４にかかる画像形成装置は、請求項２又は３において、ロールブラシには姿勢変更手段が付設されており、前記姿勢変更手段は、ロールブラシを、少なくとも画像形成装置の据え付け面に近接した第１の姿勢と、前記据え付け面から所定距離だけ離間させて退避状態とする第２の姿勢とに姿勢制御することを特徴とする。この構成によれば、例えば普段はロールブラシを退避状態である第２の姿勢として保護しておき、ユーザが靴磨き機能の利用を欲するときにのみ、ロールブラシを据え付け面に近接する第１の姿勢、つまり靴のつま先を該ロールブラシに当接し易い姿勢とするというような運用が可能となる。
【００１０】
請求項５にかかる画像形成装置は、請求項１〜４のいずれかにおいて、機能ロールを回転駆動させる駆動機構が、装置本体部における画像形成動作の際に駆動される駆動機構により動作可能とされていることを特徴とする。この構成によれば、機能ロールを駆動させるための駆動機構を別途準備する必要がなく、画像形成装置が稼働しているときに、その稼働動力を活用して機能ロールを動作させることができる。
【発明の効果】
【００１１】
請求項１にかかる画像形成装置によれば、機能ロールを前記嵩上げされた装置本体部の下側面と当該画像形成装置の据え付け面との空間に突設したので、装置本体部下側空間に対する掃き出し機能や、ユーザの所持品等に対する磨き機能を担保することができる。これにより、大量のコピー処理を実行させている場合等に生じる待ち時間において、ユーザは上記機能ロールを動作させることで様々な付加機能を享受できるようになり、退屈感を持ちがちなユーザに対して退屈凌ぎの選択肢を提供できると共に、画像形成装置の利便性を向上させることができるという効果を奏する。
【００１２】
請求項２にかかる画像形成装置によれば、前記機能ロールを靴磨き用のロールブラシとしたので、ユーザはコピー処理待ち時間を活用して、自身の靴の清浄化を図ることができるようになる。すなわち、コピー処理待ち時間という時間的余裕と、靴をロールブラシに当接させるだけという簡便性とが整うことで、ユーザの活用意欲を刺激し、通常は覚知してはいてもなかなか積極的には靴の汚れを磨こうとはしないユーザに対し、靴の清浄化の機会を提供できるようになる。
【００１３】
請求項３にかかる画像形成装置によれば、例えば複写機がコピー処理を実行している間に、つま先を複写機の下側面空間に差し入れるだけで靴磨き機能を享受でき、ユーザに対する利便性を一層向上させることができる。
【００１４】
請求項４にかかる画像形成装置によれば、ユーザが靴磨き機能の利用を欲するときにのみ、靴のつま先にロールブラシを当接し易い姿勢（第１の姿勢）とし、不使用時には待避姿勢（第２の姿勢）とすることで、ロールブラシを汚れや損傷から保護することができるようになる。
【００１５】
請求項５にかかる画像形成装置によれば、画像形成装置が稼働しているときに、その稼働動力を活用して機能ロールを動作させることができる。従って、機能ロールを駆動させるためのモータ類等の駆動機構を別途準備する必要がなく、機能ロールの付加によるコストアップを抑制することができる。
【発明を実施するための最良の形態】
【００１６】
以下、本発明の一実施形態に係る画像形成装置について図面を参照して説明する。図１乃至図３は画像形成装置の一例である複写機１の概略構成を示す図であって、図１（ａ）、（ｂ）は外観構造を概略的に示す正面図と側面図、図２は該複写機１の内部構造を正面方向から概略的に示す断面図、図３は側面方向から要部のみを破断して表した側断面図である。
【００１７】
これらの図において、複写機１は、画像形成動作を行う装置本体部１００と、該装置本体部１００に対して複写元となる原稿を供給する原稿搬送ユニット２００と、装置本体部１００を嵩上げ支持する嵩上げ部材としてのキャスター台３００と、該キャスター台３００で嵩上げ支持された装置本体部１００の下側面Ｂと当該複写機１の据え付け面Ｓとの空間Ｈに突設された、機能ロールとしての靴磨き用ロールブラシ４０を具備するロール機構部４００とを備えている。
【００１８】
装置本体部１００には、外観視（図１参照）において、正面前方の上面部分に配置され、操作用のテンキーや表示パネルなどを具備する操作部としてのフロントパネル１０１と、作像部を覆う前扉１０２と、引き出しトレイ１０３、１０４、１０５と、排紙トレイ１８０とが備えられている。そして前記ロールブラシ４０は、側面視において前記空間Ｈの前方側、すなわち図１（ｂ）に示すように、操作部であるフロントパネル１０１の直下位置に配置されている。さらに前記ロールブラシ４０は、正面視において前記空間Ｈの中央部、すなわち図１（ａ）に示すように、装置本体部１００のコーナー部にそれぞれ取り付けられているキャスター台３００、３００の中間部に配置されている。
【００１９】
装置本体部１００の内部機構について、図２に基づいて概略を説明する。この装置本体部１００には、複写用紙を貯留する給紙カセット１１１，１１２を備える用紙貯留部１１０と、貯留用紙に対して原稿画像を形成する現像ユニット１３０及び定着ユニット１４０からなる作像部１２０と、原稿画像を読み取る原稿読取部１５０と、前記用紙貯留部１１０から前記排紙トレイ１８０まで用紙を搬送するための用紙搬送路１６０と、両面コピーの際に用いられる反転ユニット１７０とが備えられている。前記現像ユニット１３０は、感光体ドラム１３１、帯電部１３２、現像部１３３及びクリーニング部１３４を備えている。また定着ユニット１４０は、熱ローラ１４１及び圧ローラ１４２を備えている。
【００２０】
このような構成において、ユーザによりフロントパネル１０１でコピー動作が指示され、原稿搬送ユニット２００から原稿が原稿読取部１５０に搬送され原稿画像が読み取られると、給紙カセット１１１、１１２のピックアップローラ１１３、１１４のいずれかが原稿サイズに応じて駆動され、用紙が用紙搬送路１６０を経由して作像部１２０へ導かれる。同時に、現像ユニット１３０の帯電部１３２により図中のＡ方向に回転する感光体ドラム１３１が一様に帯電され、原稿読取部１５０で読み取られた原稿画像に基づくレーザ走査ユニット（図示省略）からのレーザビームにより感光体ドラム１３１上に静電潜像が形成され、現像部１３３により静電潜像にトナーが付着されてトナー像が形成される。
【００２１】
このようにトナー像が形成された感光体ドラム１３１に向けて前記用紙が送られ、感光体ドラム１３１表面のトナー像が用紙に転写される。続いて、トナー像が転写された用紙は感光体ドラム１３１から分離され、定着ユニット１４０の熱ローラ１２１と圧ローラ１２２との間に搬送されてトナー像が定着される。なお、前記転写の後、感光体ドラム１３１表面に残留している残留トナー等は、クリーニング部１３４により除去される。
【００２２】
熱ローラ１２１及び圧ローラ１２２のニップ部を通過した用紙は、そのまま排出ローラ対１６３によって排紙トレイ１８０に排出されるか、或いは用紙搬送路１６１の分岐点に備えられた分岐部材１６２によって用紙の搬送方向が切り換えられて反転ユニット１７０に搬送され、用紙が反転された後、再び感光体ドラム１３１の転写位置で裏面側にトナー像が転写されて両面コピーされて排紙トレイ１８０に排出される。
【００２３】
なお、用紙貯留部１１０の給紙カセット１１１、１１２が備えるピックアップローラ１１３、１１４は、当該給紙カセット１１１、１１２に収納された用紙束の最上位紙に当接され、回転することによって用紙搬送路１６０に順次用紙を供給する。このピックアップローラ１１３、１１４の駆動源は、給紙カセット１１１、１１２の後端側（つまり装置本体部１００の後端側）下部に配置されている駆動モータ４６（図３参照）である。本実施形態では、かかる駆動モータ４６が、ロールブラシ４０の回転駆動用の駆動機構としても活用される構成とされている。以下、ロールブラシ４０を含むロール機構部４００について詳述する。
【００２４】
ロール機構部４００は、大略的に図１〜図３に示すように、ロールブラシ４０、ロールブラシ駆動シャフト４１、中間駆動シャフト４２、動力連繋ベルト４３、動力伝達ベルト４４及び駆動モータ４６から構成されている。図４は、このようなロール機構部４００の要部を詳細に示す図であって、図４（ａ）はその正面図を、図４（ｂ）はその側面図をそれぞれ示している。以下、これらの図面に基づいてロール機構部４００を説明する。
【００２５】
ロールブラシ４０は、ロールベース４０Ｒと、該ロールベース４０Ｒの周表面に植設された多数本のブラシ毛４０Ｂとから構成されている。このブラシ毛４０Ｂは、図３に示すように当該複写機１のユーザが履いている靴Ｚに当接され、ロールブラシ４０の回転動作により靴Ｚに対する磨き動作を行うものである。従って、ユーザが複写機１をオペレイトしつつ自身が履いている靴Ｚをロールブラシ４０（ブラシ毛４０Ｂ）に当接し易いよう、装置本体部１００の下側面Ｂと当該複写機１の据え付け面Ｓとの空間Ｈにロールブラシ４０は突設されていると共に、操作部であるフロントパネル１０１の直下位置に配置されている。また、ロールブラシ４０と据え付け面Ｓとの間には、靴Ｚのつま先（靴先）を介入させた場合にブラシ毛４０Ｂの相応の圧接力をもって当接する程度のギャップｇ（図３参照）が設定されている。このようなロールブラシ４０の配置関係とすることで、ユーザは当該複写機１と正対し、コピー動作を実行させている間に、自身の靴Ｚのつま先を据え付け面Ｓに沿ってロールブラシ４０の下側へ滑り込ませるだけで、ロールブラシ４０による靴磨き動作を享受できるようになる。
【００２６】
ロールブラシ駆動シャフト４１は、前記ロールベース４０Ｒと一体化されており、動力連繋ベルト４３により回動駆動力を与えられることでロールブラシ４０を回転駆動させる。図４（ａ）に示すように、ロールブラシ駆動シャフト４１の両端４１１、４１２にはそれぞれ軸受け４１３、４１４が取り付けられ、該軸受け４１３、４１４に対してロールブラシ駆動シャフト４１は自由回転できるようになっている。軸受け４１３、４１４は、それぞれ保持フレーム４０１、４０２で支持されており、該保持フレーム４０１、４０２の根本部４０１Ｂ、４０２Ｂは、装置本体部１００の外枠フレーム部材１００Ｆに、それぞれ固定ネジ４０３、４０４で固定されている。
【００２７】
前記ロールブラシ４０の上方部には、中間駆動シャフト４２が配置されている。該中間駆動シャフト４２の両端４２１、４２２には、同様にそれぞれ軸受け４２３、４２４が取り付けられ、該軸受け４２３、４２４に対して中間駆動シャフト４２は自由回転可能とされている。前記軸受け４２３、４２４も、前記保持フレーム４０１、４０２で支持されている。
【００２８】
そして、該中間駆動シャフト４２と前記ロールブラシ駆動シャフト４１との間には、動力連繋ベルト４３が架け渡されている。動力連繋ベルト４３は、第１ベルト４３１と、ロールブラシ４０を挟んで前記第１ベルト４３１と対称的に配置された第２ベルト４３２とからなる。かかる動力連繋ベルト４３の架け渡しにより、中間駆動シャフト４２に与えられた回転駆動力が、ロールブラシ駆動シャフト４１に伝達される構成とされている。
【００２９】
さらに中間駆動シャフト４２には、その中間位置に動力伝達ベルト４４が架け渡されている。該動力伝達ベルト４４の他端側は、駆動モータ４６の出力軸４６１に架け渡されている（図３参照）。これにより、装置本体部１００の後方側下端部に配置されている駆動モータ４６により発生される回転駆動力が、動力伝達ベルト４４により中間駆動シャフト４２に伝達され、さらに動力連繋ベルト４３によりロールブラシ駆動シャフト４１に伝達され、結果としてロールブラシ４０が回転駆動されるものである。
【００３０】
前記駆動モータ４６（駆動機構）は、前述の通りピックアップローラ１１３、１１４の駆動源であり、複写機１がコピー動作（画像形成動作）を実行している場合に運転される。従って、ロールブラシ４０も、コピー動作を実行している場合にのみ動作可能とされる。なお図示は省略しているが、動力伝達ベルト４４が架け渡されている出力軸４６１と、駆動モータ４６の直接の出力軸との間にクラッチ機構が備えられ、ユーザがフロントパネル１０１のキー操作で「靴磨きモード」を選定した場合に、前記クラッチ機構を繋いでロールブラシ４０を駆動モータ４６により回転駆動させる構成とされている。
【００３１】
このような靴磨き用のロールブラシ４０を備える複写機１によれば、当該複写機１にて大量のコピー処理を実行させている場合等においてユーザに待ち時間が発生したときに、ユーザは好みにより「靴磨きモード」をキー選定しロールブラシ４０を回転駆動させ、自身の靴Ｚのつま先をロールブラシ４０と据え付け面Ｓとの間に押し込むことにより、靴磨き動作を受益できるようになる。従って、漫然とコピー処理動作の終了を待つ他ない一般的な複写機に比べ、その機能性を向上させることができる。
【００３２】
図５は、他の実施形態にかかるロール機構部４００Ａを示す正面図であり、図６はその側面図である。なお、図４と同一符号を付している部分は、図４に示したロール機構部４００と同一部分を表しており、この同一部分については説明を省略する。このロール機構部４００Ａは、ロールブラシ４０に対する姿勢変更手段としてのソレノイド４５が付設されている点において、先のロール機構部４００と相違する。前記ソレノイド４５は、ロールブラシ４０を、複写機１の据え付け面Ｓに近接した第１の姿勢（図６（ａ）参照）と、前記据え付け面Ｓから所定距離だけ離間させて退避状態とする第２の姿勢（図６（ｂ）参照）とに姿勢制御する役目を果たす。以下、この点について詳述する。
【００３３】
ロールブラシ駆動シャフト４１の軸受け４１３、４１４及び中間駆動シャフト４２の軸受け４２３、４２４は、共通の保持フレーム４０５、４０６で支持されている。しかし、該保持フレーム４０５、４０６は、前記装置本体部１００の外枠フレーム部材１００Ｆに直接固定されておらず、それぞれ第二保持フレーム４０７、４０８を介して取り付けられている。この第二保持フレーム４０７、４０８の根本部４０７Ｂ、４０８Ｂは、前記外枠フレーム部材１００Ｆに、それぞれ固定ネジ４０３、４０４で固定されている。
【００３４】
第二保持フレーム４０７、４０８には、前記中間駆動シャフト４２の軸受け４２３、４２４を遊嵌させる貫通孔が設けられており、該貫通孔に円筒状の軸受け４２３、４２４が挿通され、さらにその外側から前記保持フレーム４０５、４０６が軸受け４２３、４２４に対して密嵌合されている。これにより、ロールブラシ駆動シャフト４１、中間駆動シャフト４２及び保持フレーム４０５、４０６からなる可動ユニットが、中間駆動シャフト４２の軸受け４２３、４２４の外周を回動点として（第二保持フレーム４０７、４０８の前記貫通孔を回動支持点として）揺動可能とされている。
【００３５】
なお、第二保持フレーム４０７、４０８には、折り曲げ部からなる当たり板４０７Ａ、４０８Ａが、保持フレーム４０５、４０６の側端縁とラップするように設けられている。すなわち、図６（ａ）にも示すように、当たり板４０７Ａに対して保持フレーム４０５の上部側端縁４０５Ｅが干渉する位置関係とされており、保持フレーム４０５の揺動が規制される（図６において、図面左側向きには揺動するが、図面右側向きには揺動できない）ようになっている。この当たり板４０７Ａ、４０８Ａは、装置本体部１００の前方側に配置されており、これによりロールブラシ４０は装置本体部１００の前方側には揺動できない構成とされている。
【００３６】
ロールブラシ４０の後方上部には、姿勢変更手段としてのソレノイド４５が配置されている。該ソレノイド４５は出力軸４５１を備え、電磁的作用により前記出力軸４５１が出没自在とされた駆動源である。前記出力軸４５１にはフック部４５２が突設されており、また保持フレーム４０５の側縁部近傍には係合部４０５Ｆが設けられている。そして、前記フック部４５２及び係合部４０５Ｆには、コイルバネ４５３の端部がそれぞれ係止されており、結果としてソレノイド４５の出力軸４５１と保持フレーム４０５とが、コイルバネ４５３を介して連結される構成となっている。
【００３７】
このような構成のロール機構部４００Ａによれば、ソレノイド４５の出力軸４５１が突出している状態では、図６（ａ）に示すように、前記出力軸４５１にて押圧されるので、ロールブラシ４０は複写機１の据え付け面Ｓに近接した第１の姿勢とされる。このとき、前述の通り前記当たり板４０７Ａ、４０８Ａの存在により、ロールブラシ４０は装置本体部１００の前方側には揺動しない。一方、装置本体部１００の後方側には、コイルバネ４５３が介在されていることから、ある程度の揺動は許容されている。従って、ユーザが靴Ｚのつま先を当接させたときに、ロールブラシ４０は靴Ｚのサイズ等に合わせて若干の逃げ動作が行えるようになっている。
【００３８】
他方、ソレノイド４５の出力軸４５１が没している状態では、図６（ｂ）に示すように、前記出力軸４５１にて保持フレーム４０５が牽引されて回動するので、ロールブラシ４０は据え付け面Ｓから所定距離だけ離間させて退避状態とされた第２の姿勢となる。
【００３９】
このようなロール機構部４００Ａによれば、例えば普段はロールブラシ４０を退避状態である第２の姿勢（つまり、ソレノイド４５の出力軸４５１は常時没状態）として保護しておき、ユーザが靴磨きモードを例えばキー操作等で選択したときにのみ、前記ソレノイド４５の出力軸４５１を突出させてロールブラシ４０を据え付け面Ｓに近接する第１の姿勢、つまり靴Ｚのつま先をロールブラシ４０に当接し易い姿勢とするというような運用が可能となる。
【００４０】
以上、本発明の実施形態につき説明したが、これに限定されるものではなく、種々の変形実施が可能である。例えば、下記の（ａ）〜（ｇ）の態様を採ることができる。
（ａ）上記実施形態では、機能ロールとして靴磨き用のロールブラシを例示したが、これ以外の機能を果たす機能ロールであっても良い。例えば装置本体部１００の下側面Ｂに位置する据え付け面Ｓに滞留する塵埃の掃除用のロールブラシや、前記据え付け面Ｓに入り込んでしまった小物品（コイン等）の有無確認（あるいは小物品の取り出し）などの掃き出し用の機能ロールや、ユーザの靴以外の所持品等に対する磨き機能を持つ機能ロール等が例示できる。なお、機能ロールの配置位置は、当該目的とする機能に応じて定められる。例えば、掃除用のロールブラシの場合は、塵埃を効果的に掃き出せるよう、装置本体部１００の後方側に配置することが望ましく、また機能ロールの表面が据え付け面Ｓに接地する態様とすることが望ましい。
【００４１】
（ｂ）上記実施形態においては、ロールブラシ４０の例として、ロールベース４０Ｒの周表面にブラシ毛４０Ｂを植設したものを示したが、ブラシ毛４０Ｂに代えて、フェルト等の多孔質プレート部材をロールベース４０Ｒの周表面に巻回したものであっても良い。すなわち、機能ロールの表面部材については、目的とする機能に応じて適宜選択すればよい。
【００４２】
（ｃ）上記実施形態においては、ロールブラシ４０の駆動源として、給紙カセット１１１、１１２が備えるピックアップローラ１１３、１１４の駆動モータ４６を用いる例を示したが、これ以外に装置本体部１００に備えられている駆動源を用いることもできる。例えば、作像部１２０の各種駆動モータ等を用いるようにしても良い。しかし、給紙カセット１１１、１１２用の駆動モータ４６は、一般に装置本体部１００の底部近傍に配置されていることから、動力伝達の容易性の点からは、前記駆動モータ４６を駆動源とすることが望ましい。
【００４３】
（ｄ）上記実施形態においては、ロールブラシ４０を装置本体部１００の前方側に固定配置（若しくは回動可能な状態で固定配置）する例を示したが、ロールブラシ４０が据え付け面Ｓ上の空間Ｈを移動するようにしても良い。この場合、例えば図４に示すフレーム部材４０１、４０２の両側にガイドレールを設け、ロールブラシ４０を前記ガイドレールに沿って移動自在にすると共に、動力伝達ベルト４４に代えて移動プーリとワイヤを用いた動力伝達機構を用いれば良い。
【００４４】
（ｅ）嵩上げ部材として、キャスター台３００が用いられている例を示したが、これ以外に、例えばレベルボルトや、各種アジャスターなどを用いて装置本体部１００が嵩上げ支持される構成としても良い。
【００４５】
（ｆ）上記実施形態においては、ロールブラシ４０を装置本体部１００の前方側中央部に１個設ける例を示したが、これを２個乃至は複数個設けるようにし、例えば両足の靴を同時に磨けるようにすることもできる。
【００４６】
（ｇ）図６に示したバネ４５３に代えて、例えば中間駆動シャフト４２に対して捻りコイルバネを設置し、保持フレーム４０５が常に当たり板４０５Ａ側に付勢されるような構成としても良い。
【図面の簡単な説明】
【００４７】
【図１】画像形成装置の一例である複写機１の概略構成を示す図であって、（ａ）はその正面図を、（ｂ）その側面図をそれぞれ示している。
【図２】本実施形態にかかる複写機１の内部構造を正面方向から概略的に示す断面図である。
【図３】複写機１の側面方向から要部のみを破断して表した側断面図である。
【図４】ロール機構部４００の要部を詳細に示す図であって、（ａ）はその正面図を、（ｂ）はその側面図をそれぞれ示している。
【図５】他の実施形態にかかるロール機構部４００Ａを示す正面図である。
【図６】上記ロール機構部４００Ａの側面図を示し、（ａ）はロールブラシ４０が第１の姿勢を、（ｂ）はロールブラシ４０が第２の姿勢とされている状態をそれぞれ示している。
【符号の説明】
【００４８】
１      複写機（画像形成装置）
１００  装置本体部
１０１  フロントパネル
３００  キャスター台（嵩上げ部材）
４００、４００Ａ  ロール機構部
４０    ロールブラシ（機能ロール）
４１    ブラシ駆動シャフト
４２    中間駆動シャフト
４３    動力連繋ベルト
４４    動力伝達ベルト
４５    ソレノイド（姿勢変更手段）
４６    駆動モータ（装置本体部が具備する駆動機構）
Ｂ      装置本体部の下側面
Ｓ      据え付け面
Ｈ      空間
【図１】
2006030875.tif 000003
【図２】
2006030875.tif 000004
【図３】
2006030875.tif 000005
【図４】
2006030875.tif 000006
【図５】
2006030875.tif 000007
【図６】
2006030875.tif 000008